(57)【要約】【課題】紙しわを回避することができる給紙装置、および、この給紙装置が装着された記録装置を提供する。【解決手段】給紙装置１４は、補助ローラ７０Ａ、７０Ｂを補助ローラ軸５５の軸方向に移動可能に支持すると共に、スライダ６１Ａの移動と連動して補助ローラ７０Ａと給紙ローラ６５Ａとを記録用紙の搬送方向に移動させる給紙ローラカバー６９Ａと、スライダ６１Ｂの移動と連動して補助ローラ７０Ｂと給紙ローラ６５Ｂとを記録用紙の搬送方向に移動させる給紙ローラカバー６９Ｂとを備える。【選択図】　　　図３
2004142866.tif 000002
【特許請求の範囲】
【請求項１】
一対のフレーム間に、記録用紙の幅方向への移動を規制する用紙規制部材の移動を案内するガイド軸と、給紙ローラに挿通された給紙ローラ軸と、前記給紙ローラの用紙給送方向下流側に配置された補助ローラに挿通された補助ローラ軸とを備え、一対の前記用紙規制部材の間にセットされた記録用紙を、ホッパを介して前記給紙ローラに押し当て、給紙ローラの回転により給送する給紙装置において、
前記給紙ローラおよび前記補助ローラが、前記給紙ローラ軸および前記補助ローラ軸の長手方向に移動可能とされ、
前記用紙規制部材の移動に連動して、前記給紙ローラおよび前記補助ローラを共に移動させる移動手段を有することを特徴とする給紙装置。
【請求項２】
前記移動手段は、前記用紙規制部材に備えられ、前記給紙ローラと前記補助ローラとを覆うカバーであることを特徴とする請求項１に記載の給紙装置。
【請求項３】
前記給紙ローラと補助ローラとが、１対１の関係で配置されていることを特徴とする請求項１または２に記載の給紙装置。
【請求項４】
請求項１乃至３のいずれかに記載の給紙装置を備えることを特徴とする記録装置。
【発明の詳細な説明】
【０００１】
【発明の属する技術分野】
本発明は、一対のスライダ間にセットされた記録用紙を、ホッパで押し出して給紙ローラに押し当て、給紙ローラを回転して記録用紙を給送する給紙装置および、この給紙装置が装着された記録装置に関する。
【０００２】
【従来の技術】
プリンタ（記録装置）には、給紙装置が着脱自在に装着されている。給紙装置は、記録用紙（単票紙、単票複写紙）を１枚ずつ自動給紙するものである。給紙装置には、給紙ローラと、記録用紙の幅方向への移動を規制して給送方向への移動を案内するスライダとが連動して移動するものがある（例えば、特許文献１）。ここで、図８は、従来の給紙装置１の一例を示す斜視図である。また、図９は、記録用紙を給送中の給紙装置１の斜視図である。
【０００３】
給紙装置１は、スライダ軸２に支持されるスライダ３Ａ、３Ｂと、ホッパ軸４に支持されるホッパ５Ａ、５Ｂと、給紙ローラ軸６に支持される給紙ローラ７Ａ、７Ｂと、補助ローラ軸８に支持される補助ローラ９とを備えている。このうち、ホッパ５Ａと給紙ローラ７Ａとは、スライダ３Ａのスライダ軸２の軸方向への移動と連動して対応する各軸４、６の軸方向に共に移動するように構成されている。同様に、ホッパ５Ｂと給紙ローラ７Ｂとは、スライダ３Ｂのスライダ軸２の軸方向への移動と連動して対応する各軸４、６の軸方向に共に移動するように構成されている。
【０００４】
具体的に説明すると、スライダ３Ａ、３Ｂは、スライダ軸２の軸方向に移動可能に支持され、記録用紙Ｓの幅に合わせてスライダ３Ａ、３Ｂ間の距離を変更することにより、記録用紙Ｓの幅方向への移動を規制し、給送方向への移動を案内する。また、ホッパ５Ａ、５Ｂは、スライダ３Ａ、３Ｂと連動してホッパ軸４の軸方向に移動可能に支持され、セットされた記録用紙を給紙ローラ７Ａ、７Ｂに付勢する。また、給紙ローラ７Ａ、７Ｂは、給紙ローラ軸６の軸方向に移動可能に支持され、給紙ローラ７Ａ、７Ｂの上方および両端を覆う給紙ローラカバー１０Ａ、１０Ｂが取り付けられている。この給紙ローラカバー１０Ａ、１０Ｂはスライダ３Ａ、３Ｂにそれぞれ固定される。これにより、給紙ローラ７Ａ、７Ｂは、それぞれスライダ３Ａ、３Ｂの移動と連動して給紙ローラ軸６の軸方向に移動するように構成されている。
【０００５】
これに対し、補助ローラ９は、補助ローラ軸８に間隔を空けて複数固定され、軸方向への移動は規制されている。給紙装置においては、上記給紙ローラ軸と補助ローラ軸とが回転駆動されることにより、セットされた記録用紙Ｓを一枚ずつ分離・給送するようになっている。
【０００６】
また、給紙装置には、給送時に記録用紙の中央部が湾曲して紙づまりや送りしわが発生してしまうことを防止するため、記録用紙の中央部の湾曲を矯正する矯正部材を設けたものがある（例えば、特許文献２）。
【０００７】
【特許文献１】
特開平５−９７２５６号公報
【特許文献２】
特開平１１−７９４３２号公報
【０００８】
【発明が解決しようとする課題】
ところで、補助ローラ９を具備する給紙装置１においては、給紙ローラ７Ａ、７Ｂと各補助ローラ９との送り抵抗の差によって紙しわが発生することがある（図９参照）。詳述すると、給紙ローラ７Ａ、７Ｂは、スライダ３Ａ、３Ｂと共に移動して記録用紙Ｓの両側に当接する一方、複数の補助ローラ９は、記録用紙Ｓの様々な位置に当接することとなる。このため、記録用紙Ｓにおいては、給紙ローラ７Ａ、７Ｂと各補助ローラ９との送り抵抗の差が横方向（給紙方向に対して垂直方向）に働き、記録用紙の大きさ（幅）によって紙しわが発生してしまうことがあった。
【０００９】
本発明は、上述した事情に鑑みてなされたものであり、紙しわを回避することができる給紙装置、および、この給紙装置が装着された記録装置を提供することを目的としている。
【００１０】
【課題を解決するための手段】
上述課題を解決するため、請求項１に記載の発明は、一対のフレーム間に、記録用紙の幅方向への移動を規制する用紙規制部材の移動を案内するガイド軸と、給紙ローラに挿通された給紙ローラ軸と、前記給紙ローラの用紙給送方向下流側に配置された補助ローラに挿通された補助ローラ軸とを備え、一対の前記用紙規制部材の間にセットされた記録用紙を、ホッパを介して前記給紙ローラに押し当て、給紙ローラの回転により給送する給紙装置において、前記給紙ローラおよび前記補助ローラが、前記給紙ローラ軸および前記補助ローラ軸の長手方向に移動可能とされ、前記用紙規制部材の移動に連動して、前記給紙ローラおよび前記補助ローラを共に移動させる移動手段を有することを特徴とする。
【００１１】
この構成によれば、用紙規制部材の移動と連動して給紙ローラと補助ローラとが共に移動するので、用紙規制部材を移動しても、給紙ローラと補助ローラとの送り抵抗の差が及ぼす記録用紙の横方向に働く力を一定にでき、紙しわを回避することができる。
【００１２】
また、請求項２に記載の発明は、請求項１に記載の構成において、前記移動手段は、前記用紙規制部材に備えられ、前記給紙ローラと前記補助ローラとを覆うカバーであることを特徴とする。この構成によれば、給紙ローラと補助ローラとを覆うカバーによって、用紙規制部材の移動と連動して給紙ローラと補助ローラとを共に移動させることができる。これにより、用紙規制部材を移動しても、給紙ローラと補助ローラとの送り抵抗の差が及ぼす記録用紙の横方向に働く力を一定にでき、紙しわを回避することができる。
【００１３】
また、請求項３に記載の発明は、請求項１または２に記載の構成において、前記給紙ローラと補助ローラとが、１対１の関係で配置されていることを特徴とする。この構成によれば、給紙ローラと補助ローラとの送り抵抗の差が及ぼす記録用紙の横方向への力を一定にでき、紙しわを回避することができる。
【００１４】
また、請求項４に記載の発明は、記録装置が請求項１乃至３のいずれかに記載の給紙装置を備えることを特徴とする。この構成によれば、用紙規制部材を移動しても、給紙ローラと補助ローラとの送り抵抗の差が及ぼす記録用紙の横方向に働く力を一定にでき、紙しわを回避することができる。
【００１５】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
（１）　実施形態
図１は、本発明の記録装置の実施形態に係るドットインパクトプリンタ（以下、プリンタという。）１０の斜視図である。また、図２は、図１の側断面図である。
【００１６】
プリンタ１０は、給紙装置（カットシートフィーダ）１４が着脱可能に装着され、プリンタ本体１１（図２参照）と、プッシュトラクタユニット１２（図２参照）と、シート供給ガイド１３と、上ケース１５および下ケース１６とから概略構成されている。
【００１７】
プリンタ本体１１は、記録ヘッド２０およびキャリッジ２１からなる記録機構部と、シート案内２４、プラテン２５および第１〜第４搬送ローラ２６〜２９からなるシート搬送機構部とから概略構成されている。
【００１８】
詳述すると、プリンタ本体１１は、本体フレームとしてのベースフレーム４０およびリアフレーム４１の略両端に、左サイドフレーム４２および右サイドフレーム（不図示）がそれぞれ立設して固定されている。この両サイドフレームの間には、キャリッジガイド軸４３およびプラテン２５が回転可能に支持され、また、記録用紙を案内するシート案内２４が支持されている。
【００１９】
また、キャリッジガイド軸４３には、記録ヘッド２０を搭載したキャリッジ２１がその軸方向に移動可能に支持されている。キャリッジ２１は、キャリッジ駆動モータ（不図示）によりタイミングベルト機構（不図示）を介してキャリッジガイド軸４３の軸方向に駆動される。これにより、記録ヘッド２０は、キャリッジガイド軸４３の軸方向と一致する主走査方向に駆動される。
【００２０】
また、キャリッジ２１には、インクリボンカセット４４が着脱自在に装着されている。インクリボンカセット４４のインクリボンは、記録ヘッド２０とプラテン２５との間に引き回されている。これにより、記録ヘッド２０からの記録ワイヤの突出によりインクリボンのインクをプラテン２５上の記録用紙に転写することができる。
【００２１】
また、プリンタ本体１１は、シート案内２４の下方にある第１搬送ローラ２６と、シート案内２４の上方にある第４搬送ローラ２９とが駆動ローラであり、第２搬送ローラ２７および第３搬送ローラ２８が従動ローラとなっている。すなわち、第１搬送ローラ２６および第４搬送ローラ２９の軸端には歯車が設けられており、この歯車を含む歯車輪列（不図示）が、例えば、左サイドフレーム４２に配置されている。そして、この歯車輪列の一の歯車には、シート搬送モータ（不図示）のモータピニオン（不図示）がかみ合っている。なお、この歯車輪列は、プラテン２５の軸に固定された歯車、プッシュトラクタユニット１２のトラクタ駆動プーリ４５の軸に固定された歯車を含んでいる。これにより、シート搬送モータを正転または逆転することによって、記録用紙をプリンタ本体１１の前方から後方へ搬送したり、プリンタ本体１１の後方から前方へ搬送することができる。このようにして記録用紙は、主走査方向に直交する副走査方向（図２に示すｙ方向）に搬送され、記録ヘッド２０にて文字などの画像が記録される。なお、このプリンタ１０の制御回路が配置されたメイン基板や電源基板は、下ケース１６に収容されている。
【００２２】
また、キャリッジガイド軸４３は、両端の軸（回転軸）が偏心されて形成されており、キャリッジガイド軸４３をモータ（不図示）によって回転（偏心回転）することにより、キャリッジ２１をプラテン２５に対して前後移動し、記録ヘッド２０とプラテン２５との間の距離（いわゆるプラテンギャップ）を変更できるように構成されている。
【００２３】
プッシュトラクタユニット１２は、記録用紙としての連続紙をシート案内２４に供給するものであり、左右一対のトラクタ４６を有している。トラクタ４６は、トラクタ駆動プーリ４５と、トラクタ従動プーリ４７と、これらプーリ４５、４７に架け渡されたトラクタベルト４８とから構成され、シート搬送モータの回転によりトラクタ駆動プーリ４５が回転し、連続紙をシート案内２４に供給することができる。シート供給ガイド１３は、プリンタ本体１１の前側において、上ケース１５に着脱自在に装着され、記録用紙を案内する。
【００２４】
給紙装置１４は、記録用紙としての単票紙（単票複写紙を含む）を１枚ずつ自動給紙する。ここで、図３は、給紙装置１４の斜視図である。また、図４は、給紙装置１４の側断面図である。
【００２５】
給紙装置１４は、左右のフレーム６６、６７間に、スライダ軸６０、ホッパ軸６２、給紙ローラ軸６４、補助ローラ軸５５が支持される。スライダ軸６０には、スライダ６１Ａ、６１Ｂがその軸方向（長手方向）に移動可能に通され、ホッパ軸６２には、ホッパ６３Ａ、６３Ｂがその軸方向（長手方向）に移動可能に通される。なお、スライダ６１Ａ、６１Ｂは、記録用紙の幅方向への移動を規制し、給送方向への移動を案内する用紙規制部材として機能するものである。
【００２６】
また、給紙ローラ軸６４には、給紙ローラ６５Ａ、６５Ｂがその軸方向（長手方向）に移動可能に通され、補助ローラ軸５５には、給紙ローラ６５Ａ、６５Ｂと同数の補助ローラ７０Ａ、７０Ｂ（図４参照）がその軸方向（長手方向）に移動可能に通される。ここで、図５は、給紙装置１４の給紙ローラカバー６９Ａの周辺拡大図である。また、図６は、図５の給紙ローラカバー６９Ａを半分に切断した状態を示す図である。
【００２７】
給紙ローラカバー６９Ａは、給紙ローラ６５Ａと補助ローラ７０Ａとを上方から覆うカバーである。また、給紙ローラカバー６９Ｂは、給紙ローラ６５Ｂと補助ローラ７０Ｂとを上方から覆うカバーである。これら給紙ローラカバー６９Ａ、６９Ｂは、ローラが異なる点を除いて同一である。そこで、給紙ローラカバー６９Ａについて説明する。
【００２８】
詳述すると、給紙ローラカバー６９Ａは、給紙ローラ６５Ａと補助ローラ７０Ａとを１対１の関係で保持し、スライダ６１Ａに固定されている。これにより、スライダ６１Ａの移動に連動して、給紙ローラカバー６９Ａに保持された給紙ローラ６５Ａと補助ローラ７０Ｂとが共に移動するようになっている。また、給紙ローラカバー６９Ａの内部には、補助ローラ７０Ａ側に付勢され、かつ、アイドラ７１を回転可能に保持するアイドルレバー７２が配置されている。
【００２９】
また、前掲図４に示すように、給紙装置１４においては、ホッパ軸６２が、スライダ６１Ａと給紙ローラカバー６９Ａとの間を移動可能に支持されると共に、ホッパ６３Ａが、バネによって給紙ローラカバー６９Ａ側に付勢される。これにより、ホッパ６３Ａは、このホッパ６３Ａと給紙ローラカバー６９Ａとの間にセットされた記録用紙の最上位の記録用紙を給紙ローラ６５Ａに当接させるようになっている。
【００３０】
したがって、給紙ローラ６５Ａが回転することにより、記録用紙が図４中略斜め右下方向に搬送される。その後、記録用紙は、補助ローラ７０Ａによってプリンタ本体１１側へ搬送される。ここで、給紙ローラ軸６４および補助ローラ軸５５には、その軸端（右側の軸端）に歯車が設けられており、給紙装置１４の右フレーム６６に、これら歯車を含む歯車輪列が配置されている。この歯車輪列の一の歯車７５は、給紙装置１４をプリンタ本体１１に装着すると、プリンタ本体１１の歯車輪列とかみ合うようになっている。これにより、給紙ローラ６５Ａ、６５Ｂおよび補助ローラ７０Ａ、７０Ｂは、プリンタ本体１１側のシート搬送モータによって回転駆動されるようになっている。なお、アイドラ７１は、補助ローラ７０Ａ、７０Ｂ側に記録用紙を付勢し、記録用紙を確実に搬送できるようにするための従動ローラである。このようにして、給紙装置１４にセットされた記録用紙は、プリンタ本体１１のシート搬送モータの回転により一枚ずつ給紙されるようになっている。
【００３１】
さらに、給紙装置１４は、スライダ６１Ａ、６１Ｂの位置を固定するためのスライダロックレバー７６と、ホッパ６３Ａ、６３Ｂをスライダ６１Ａ、６１Ｂ側（後退位置）にロックするためのレリースレバー８０を備えている。したがって、このレリースレバー８０を図４中時計回りに回転することによって、図７に示すように、ホッパ６３Ａ、６３Ｂをスライダ６１Ａ、６１Ｂ側にロックし、ホッパ６３Ａ（６３Ｂ）と給紙ローラカバー６９Ａ（６９Ｂ）との間隔Ｌを広くした状態に保持することができる。これにより、簡易に記録用紙をセットすることができる。
【００３２】
以上説明したように、給紙装置１４においては、スライダ６１Ａの移動と連動して、給紙ローラカバー６９Ａが給紙ローラ６５Ａと補助ローラ７０Ａとを共に移動するので、給紙ローラ６５Ａと補助ローラ７０Ａとの位置関係は常に一定に保持される。したがって、スライダ６１Ａを移動しても、給紙ローラ６５Ａと補助ローラ７０Ａとの送り抵抗の差が及ぼす記録用紙の横方向（＝副走査方向）に働く力を一定にすることができる。
【００３３】
同様に、スライダ６１Ｂの移動と連動して、給紙ローラカバー６９Ｂが給紙ローラ６５Ｂと補助ローラ７０Ｂとを共に移動するので、給紙ローラ６５Ｂと補助ローラ７０Ｂとの位置関係についても一定に保持され、給紙ローラ６５Ｂと補助ローラ７０Ｂとの送り抵抗の差が及ぼす記録用紙の横方向（＝副走査方向）に働く力を一定にすることができる。この結果、スライダ６１Ａ、６１Ｂが特定の位置に位置したときに紙しわが発生する場合を確実に防止することができる。言い換えれば、記録用紙の大きさ（幅）によって紙しわが発生する場合を確実に防止することができる。
【００３４】
さらに、給紙ローラ６５Ａおよび補助ローラ７０Ａと、給紙ローラ６５Ｂおよび補助ローラ７０Ｂとをそれぞれ１対１の関係で同一直線上に揃えた状態で移動させるので、給紙ローラ６５Ａと補助ローラ７０Ａとの送り抵抗の差と、給紙ローラ６５Ｂと補助ローラ７０Ｂとの送り抵抗の差とが及ぼす記録用紙の横方向への力はほとんど作用しなくなる。これにより、紙しわが発生するのをより確実に防止することができる。
【００３５】
上述の実施形態では、給紙ローラカバー６９Ａ（６９Ｂ）は、給紙ローラ６５Ａ（６５Ｂ）と補助ローラ７０Ａ（７０Ｂ）とを同一直線上に揃えた状態で保持する場合について述べたが、要は、給紙ローラ６５Ａ（６５Ｂ）と補助ローラ７０Ａ（７０Ｂ）との送り抵抗の差が及ぼす記録用紙の横方向への力が紙しわを発生させない程度に小さければよく、この範囲で同一直線上に揃えなくてもよい。
【００３６】
また、上述の実施形態では、ドットインパクトプリンタの給紙装置に本発明を適用する場合について述べたが、インクジェットプリンタ、レーザープリンタなどの様々なプリンタ（記録装置）の給紙装置に広く適用することができる。
【００３７】
【発明の効果】
上述したように本発明によれば、給紙装置で紙しわが発生するのを回避することができる。
【図面の簡単な説明】
【図１】本発明の実施形態に係るプリンタの斜視図である。
【図２】図１の側断面図である。
【図３】プリンタの給紙装置の斜視図である。
【図４】給紙装置の側断面図である。
【図５】給紙装置の給紙ローラカバーの周辺拡大図である。
【図６】図５の給紙ローラカバーを半分切断した場合の周辺拡大図である。
【図７】給紙装置の側断面図である。
【図８】従来の給紙装置の斜視図である。
【図９】従来の給紙装置の斜視図である。
【符号の説明】
１、１０　プリンタ
２、６０　スライダ軸
３Ａ、３Ｂ、６１Ａ、６１Ｂ　スライダ
５Ａ、５Ｂ、６３Ａ、６３Ｂ　ホッパ
６、６４　給紙ローラ軸
７Ａ、７Ｂ　６５Ａ、６５Ｂ　給紙ローラ
８、５５　補助ローラ軸
９、７０Ａ、７０Ｂ　補助ローラ
１０Ａ、１０Ｂ、６９Ａ、６９Ｂ　給紙ローラカバー
１１　プリンタ本体
１２　プッシュトラクタユニット
１３　シート供給ガイド
１４　給紙装置
【図１】
2004142866.tif 000003
【図２】
2004142866.tif 000004
【図３】
2004142866.tif 000005
【図４】
2004142866.tif 000006
【図５】
2004142866.tif 000007
【図６】
2004142866.tif 000008
【図７】
2004142866.tif 000009
【図８】
2004142866.tif 000010
【図９】
2004142866.tif 000011